(57)【要約】【課題】本発明は、一つのユニット７で必要な表示を行える手元開閉器１を提供することを目的としている。【解決手段】ブレーカ４の電源表示、通電表示、トリップ表示等の手元開閉器の状態を示す内容をＬＥＤランプ８、９、１０により表示させる表示ユニット７を構成し、表示ユニット７には入力端子１１及び出力端子１２を備え、ブレーカ４からの信号を表示ユニット７に入力可能であると共に、表示ユニット７に入力された信号を外部へ出力可能としたことを特徴とする。【選択図】図１
2006253069.tif 000002
【特許請求の範囲】
【請求項１】
前面に開口を有し、該開口はカバーで施蓋したケースにスイッチの入切を行うブレーカ等を取り付けた手元開閉器であって、前記ブレーカの電源表示、通電表示、トリップ表示等の前記手元開閉器の状態を示す内容をＬＥＤランプにより表示させる表示ユニットを構成し、該表示ユニットには入力端子及び出力端子を備え、前記ブレーカからの信号を前記表示ユニットに入力可能であると共に、前記表示ユニットに入力された信号を外部へ出力可能としたことを特徴とする手元開閉器。
【請求項２】
前記手元開閉器において、前記表示ユニットは、前記ケースの基台側に取り付けると共に、前記カバーには窓を設け、前記ブレーカと共に表示ユニットが、ケースの外から目視可能としたことを特徴とする請求項１に記載の手元開閉器。
【発明の詳細な説明】
【技術分野】
【０００１】
本発明は、前面に開口を有し、該開口はカバーで施蓋したケースにスイッチの入切を行うブレーカ等を取り付けた手元開閉器に関するものである。
【背景技術】
【０００２】
ケースにブレーカを取り付けて構成された手元開閉器は、前面に設けられた開口はカバーで施蓋し、カバーにはブレーカが目視できるような表示窓を形成している。表示窓の近傍には電源表示ランプを設け、電源表示ランプはブレーカに接続し、信号を送ることにより手元開閉器の電源の状態を表示していた。
【０００３】
電源表示ランプが点灯したとき、ブレーカのハンドルがＯＮの位置にあるかＯＦＦの位置にあるかを確認して、通電状態を確認していた。
【特許文献１】特開平１１−０６９５２４号公報
【特許文献２】特開２０００−３５７４４５号公報
【発明の開示】
【発明が解決しようとする課題】
【０００４】
しかしながら、上記手元開閉器ではブレーカのハンドルの位置をＯＮであるかＯＦＦであるか確認しなくてはならないが、手元開閉器が暗い場所に設置されている場合、ハンドルの位置を判別するのが困難であり、通電状態を確認しにくかった。
【課題を解決するための手段】
【０００５】
そこで本発明は、一つのユニットで必要な表示を行える手元開閉器を提供することを目的とし、その構造は、ブレーカの電源表示、通電表示、トリップ表示等の手元開閉器の状態を示す内容をＬＥＤランプにより表示させる表示ユニットを構成し、表示ユニットには入力端子及び出力端子を備え、ブレーカからの信号を表示ユニットに入力可能であると共に、表示ユニットに入力された信号を外部へ出力可能としたことを特徴とする。
【０００６】
また、表示ユニットは、ケースの基台側に取り付けると共に、カバーには窓を設け、ブレーカと共に表示ユニットが、ケースの外から目視可能としたことを特徴とする。
【発明の効果】
【０００７】
本発明に係る手元開閉器は、ブレーカの電源表示、通電表示、トリップ表示等の手元開閉器の状態を示す内容をＬＥＤランプにより表示させる表示ユニットを構成し、表示ユニットには入力端子及び出力端子を備え、ブレーカからの信号を表示ユニットに入力可能であると共に、表示ユニットに入力された信号を外部へ出力可能としたため、使用条件に応じた表示内容を一つのユニットで対応でき、組み込む手間が最小で外部へ信号出力することが可能となる。
【０００８】
また、表示ユニット取り付け作業を簡易化することを目的とし、その構造は、表示ユニットは、ケースの基台側に取り付けると共に、カバーには窓を設け、ブレーカと共に表示ユニットが、ケースの外から目視可能としたため、ブレーカと表示ユニットの結線も基台側だけで行えるため、結線作業が容易になる。また、カバー側への機器の取り付けをなくし、基台からカバーへの結線もなく、カバーの開閉も円滑である。
【発明を実施するための最良の形態】
【０００９】
ブレーカの使用状態をケースの外から確認できるという目的を、一つのユニットで行えるようにして組み立て作業も簡単であるように実現した。
【実施例１】
【００１０】
本発明の請求項１に係る手元開閉器の実施例を図１〜図３の添付図面に基づいて説明する。
【００１１】
手元開閉器１は、前面に開口を有し、開口をカバー２で施蓋するケース３にブレーカ４を配置して構成される。カバー２にはケース３に配置したブレーカ４が目視できるように表示窓５を設け、表示窓５には内部が透視可能な材質の窓板６を嵌め込む。
【００１２】
本発明においては、ケース３内に表示ユニット７を取り付け、ブレーカ４と表示ユニット７は電線などで接続される。表示ユニット７は表示部７ａと端子部７ｂとから成り、表示部７ａでは例えば、電源表示８、通電表示９、トリップ警報表示１０をＬＥＤランプにて行う。端子部７ｂには入力用端子１１と外部出力用端子１２とを設ける。ブレーカ４からの信号を入力用端子１１を介して表示ユニット７に送り、ランプ８、９、１０で表示する。さらにその信号を外部出力端子１２から、ブザー等に出力することができる。
【００１３】
表示ユニット７は表示部７ａと端子部７ｂとを一つのユニットとして構成し、ケース３にねじ止め等により簡単に取り付けられる。
【００１４】
電源が入っている時、電源表示ＬＥＤランプ８が点灯する。ブレーカ４のハンドルで入切をし、その信号は入力用端子１１から表示ユニット７に取り込まれ、通電表示ＬＥＤランプ９が点灯する。また、ブレーカがトリップした場合にはトリップ警報表示ＬＥＤランプが点灯する。どのランプが点灯しているか確認すると手元開閉器の状態がわかる。ＬＥＤランプで表示することで手元開閉器が暗い場所に設置されていても、確認がしやすい。
【００１５】
さらには外部出力端子１２から外部へ出力も可能で、ＬＥＤランプ以外にも表示が可能である。
【実施例２】
【００１６】
また、表示部のＬＥＤランプを設ける部分はノックアウト構造とし、図３に示すように、必要のない表示部は盲蓋１３により塞ぐ。
【実施例３】
【００１７】
本発明の請求項２に係る手元開閉器を図４の添付図面に基づいて説明する。
【００１８】
請求項２では、手元開閉器１４における表示ユニット１５取り付け方法を示している。表示ユニット１５は、ケース１６の基台１７上、ブレーカ１８の下部に取り付ける。カバーには表示窓が設けられているが、この表示窓から、表示ユニット１５のＬＥＤランプ１９が目視可能に取り付ける。
【００１９】
ブレーカ１８と表示ユニット１５との結線は基台１７側のみで収めることができ、結線作業がしやすくなる。また、カバー側には表示ユニット１５が取り付けられないので、基台１７側からカバー側へ電線が延びることもなく、結線作業が容易になるのはもちろんのこと、その他の作業でも電線が邪魔になるようなことがない。カバーの開閉時にも電線が引っ掛かったりすることがなく、円滑に開閉できる。
【００２０】
表示ユニット１５に、余スペースがあれば、負荷名称表示２０も可能である。表示ユニット１５に直接負荷名称が表示できれば、記入の手間も簡単になり、また、負荷名称表示板等の部品削減も可能になる。
【００２１】
本発明に係る手元開閉器は、上記記載のものに限定されるものではなく、例えば、表示部の表示方法は、ＬＥＤではなく、液晶ディスプレイ等他の方法を用いても良い。また、ランプに限定せず、コンピュータグラフィック等を用いても良く、本発明の趣旨を逸脱しない範囲において適宜変更可能である。
【産業上の利用可能性】
【００２２】
手元開閉器の状態表示の機能をユニットとして構成し、複数の表示をＬＥＤランプにより行うことで暗い場所に設置された手元開閉器に適用できる。
【図面の簡単な説明】
【００２３】
【図１】本発明に係る手元開閉器を示す正面図である。（実施例１）
【図２】本発明に係る手元開閉器に取り付けられる表示ユニットを示す正面図である。（実施例１）
【図３】本発明に係る手元開閉器に取り付けられる表示ユニットを示す正面図である。（実施例２）
【図４】本発明に係る手元開閉器を示す正面図である。（実施例３）
【符号の説明】
【００２４】
１    手元開閉器
２    カバー
３    ケース
４    ブレーカ
５    表示窓
６    窓板
７    表示ユニット
７ａ  表示部
７ｂ  端子部
８    電源表示ＬＥＤランプ
９    通電表示ＬＥＤランプ
１０  トリップ警報表示ＬＥＤランプ
１１  入力用端子
１２  外部出力用端子
１３  盲蓋
１４  手元開閉器
１５  表示ユニット
１６  ケース
１７  基台
１８  ブレーカ
１９  ＬＥＤランプ
２０  負荷名称表示
【図１】
2006253069.tif 000003
【図２】
2006253069.tif 000004
【図３】
2006253069.tif 000005
【図４】
2006253069.tif 000006